(57)【要約】【課題】入力信号の特性を解析する際の作業効率を向上し得る表示制御装置を提供する。【解決手段】入力信号についてのパラメータを直交座標上にプロットした直交座標線図Ｐｒおよび入力信号のパラメータを極座標上にプロットした極座標線図Ｐｐを表示部１５に同時に表示させる制御部を備えて構成されている。この場合、制御部が複数の直交座標線図Ｐｒを極座標線図Ｐｐと共に表示部１５に同時に表示させる構成を採用することもできる。【選択図】図６
2007199019.tif 000002
【特許請求の範囲】
【請求項１】
入力信号についてのパラメータの値を直交座標上にプロットした直交座標線図および当該パラメータの値を極座標上にプロットした極座標線図を表示部に同時に表示させる制御部を備えている表示制御装置。
【請求項２】
前記制御部は、複数の前記直交座標線図を同時に表示させる請求項１記載の表示制御装置。
【請求項３】
前記制御部は、複数の前記極座標線図を同時に表示させる請求項１または２記載の表示制御装置。
【発明の詳細な説明】
【技術分野】
【０００１】
本発明は、入力信号の特性を示す特性図を表示部に表示可能に構成された表示制御装置に関するものである。
【背景技術】
【０００２】
この種の表示制御装置として、特開平７−４３４０３号公報において出願人が開示したＦＦＴ（高速フーリエ変換）アナライザが知られている。このＦＦＴアナライザは、入力信号（アナログ信号）をデジタルデータ（デジタル信号）に変換するＡ／Ｄ変換器、デジタルデータを記憶するＲＡＭ、プログラムが書き込まれたＲＯＭ、プログラムに従ってデジタルデータについてＦＦＴ演算を行うＣＰＵ、ＦＦＴ演算によって得られたデータに基づくスペクトラムを示すスペクトラム図を表示するディスプレイ等を備えて構成されている。この場合、このＦＦＴアナライザでは、横軸（Ｘ軸）を周波数とし、縦軸（Ｙ軸）を信号レベル（例えば電圧）とする直交座標上にスペクトラム図が表示される。
【特許文献１】特開平７−４３４０３号公報（第２頁、第１−２図）
【発明の開示】
【発明が解決しようとする課題】
【０００３】
ところが、上記のＦＦＴアナライザには、改善すべき以下の課題がある。すなわち、このＦＦＴアナライザでは、直交座標上に入力信号のパラメータの値（上記の例では電圧）をプロットした線図（以下、「直交座標線図」ともいう）としてのスペクトラム図が表示される。一方、入力信号の特性を示す特性図としては、上記した直交座標線図の他に、極座標上に入力信号のパラメータの値をプロットしたナイキスト線図等の極座標線図が存在する。
【０００４】
この場合、入力信号の特性を多面的に解析するためには、直交座標線図および極座標線図の両者を表示できるのが好ましい。このため、発明者らは、直交座標線図および極座標線図を表示切替操作に応じて切り替えて表示可能な機能を上記のＦＦＴアナライザに付加している。しかしながら、このＦＦＴアナライザでは、表示切替操作によって上記した両線図のいずれか一方のみが表示されるため、例えば、両線図を比較しつつ入力信号の特性を解析するときには、表示切替操作を頻繁に繰り返す必要がある結果、作業効率を向上させるのが困難であり、この点の改善が望まれている。
【０００５】
本発明は、かかる改善すべき課題に鑑みてなされたものであり、入力信号の特性を解析する際の作業効率を向上し得る表示制御装置を提供することを主目的とする。
【課題を解決するための手段】
【０００６】
上記目的を達成すべく請求項１記載の表示制御装置は、入力信号についてのパラメータの値を直交座標上にプロットした直交座標線図および当該パラメータの値を極座標上にプロットした極座標線図を表示部に同時に表示させる制御部を備えている。
【０００７】
また、請求項２記載の表示制御装置は、請求項１記載の表示制御装置において、前記制御部は、複数の前記直交座標線図を同時に表示させる。
【０００８】
また、請求項３記載の表示制御装置は、請求項１または２記載の表示制御装置において、前記制御部は、複数の前記極座標線図を同時に表示させる。
【発明の効果】
【０００９】
請求項１記載の表示制御装置によれば、制御部が、入力信号についてのパラメータの値を直交座標上にプロットした直交座標線図と、入力信号についてのパラメータの値を極座標上にプロットした極座標線図とを表示部に同時に表示させることにより、直交座標線図および極座標線図をユーザーに対して同時に視認させることができる。このため、ユーザーは、両線図を比較しつつ入力信号の特性を多面的に解析することができる。また、表示切替操作を行うことなく両線図を同時に視認させることができるため、解析作業の効率を十分に向上させることができる。
【００１０】
また、請求項２記載の表示制御装置によれば、制御部が複数の直交座標線図を同時に表示させることにより、例えば、種類の異なる複数の直交座標線図と極座標線図とをユーザーに対して同時に視認させることができる。このため、ユーザーは、各線図を比較しつつ入力信号の特性をより一層多面的に解析することができると共に、このような使用形態においても、解析作業の効率を十分に向上させることができる。
【００１１】
また、請求項３記載の表示制御装置によれば、制御部が、複数の極座標線図を同時に表示させることにより、例えば、入力信号と比較するための基準信号についての直交座標線図および極座標線図と、入力信号についての直交座標線図および極座標線図とをユーザーに対して同時に視認させることができる。このため、ユーザーは、各線図を比較しつつ入力信号の特性を詳細に解析することができると共に、このような使用形態においても解析作業の効率を十分に向上させることができる。
【発明を実施するための最良の形態】
【００１２】
以下、本発明に係る表示制御装置の最良の形態について、添付図面を参照して説明する。
【００１３】
最初に、波形表示装置１の構成について、図面を参照して説明する。
【００１４】
図１に示す波形表示装置１は、本発明に係る表示制御装置と本発明における表示部とを一体的に構成した表示装置の一例であって、入力信号Ｓｉ（一例として、電圧信号）の特性を示す特性図を表示可能に構成されている。具体的には、波形表示装置１は、入力信号処理部１１、ストレージメモリ１２、記憶部１３、演算部１４、表示部１５、操作部１６および制御部１７を備えて構成されている。
【００１５】
入力信号処理部１１は、Ａ／Ｄコンバータを備えて構成され、制御部１７の制御に従い、入力信号Ｓｉについてのパラメータの値（例えば、電圧値）を所定の周期でサンプリングしてサンプリングデータＤｓを出力する。ストレージメモリ１２は、入力信号処理部１１から出力されて制御部１７によって転送されるサンプリングデータＤｓや、演算部１４から出力される処理データＤｐを記憶する。記憶部１３は、演算部１４によって実行される演算処理に用いられる演算用データＤｏや制御部１７の動作プログラム等を記憶する。演算部１４は、制御部１７の制御に従い、ストレージメモリ１２に記憶されているサンプリングデータＤｓや記憶部１３に記憶されている演算用データＤｏに基づき、例えばＦＦＴ演算等の所定の演算処理を実行して、処理データＤｐを出力する。
【００１６】
表示部１５は、図２に示すように、波形表示装置１における本体部２の正面パネルに配置されたＬＣＤパネルを備えて構成され、制御部１７から出力される表示データＤｄに基づく各種の画像を表示する。操作部１６は、各種のスイッチやダイヤル等を備えて構成されて、本体部２の正面パネルに配置されている。また、操作部１６は、スイッチやダイヤルが操作されたときに操作信号Ｓｏを出力する。
【００１７】
制御部１７は、操作部１６から出力される操作信号Ｓｏに従って各種の処理を実行する。この場合、制御部１７は、入力信号処理部１１を制御してサンプリングデータＤｓを出力させると共に、そのサンプリングデータＤｓをストレージメモリ１２に記憶させる。また、制御部１７は、演算部１４を制御してサンプリングデータＤｓに基づく各種の演算処理を実行させると共に、演算処理によって演算部１４から出力される処理データＤｐをストレージメモリ１２に記憶させる。
【００１８】
さらに、制御部１７は、サンプリングデータＤｓや処理データＤｐに基づいて表示データＤｄを生成して表示部１５に出力することにより、入力信号Ｓｉについてのパラメータの値を直交座標上にプロットした直交座標線図Ｐｒ（図３参照）、および入力信号Ｓｉについてのパラメータの値を極座標上にプロットした極座標線図Ｐｐ（図４参照）を表示部１５に表示させる。この場合、制御部１７は、操作部１６におけるスイッチの操作に応じて、直交座標線図Ｐｒおよび極座標線図Ｐｐのいずれか一方を表示部１５に１画面で表示させる１画面表示を実行すると共に、１つまたは複数の直交座標線図Ｐｒと、１つまたは複数の極座標線図Ｐｐとを表示部１５に同時に表示させるマルチ画面表示を実行する。
【００１９】
次に、入力信号Ｓｉの特性を示す特性図としての直交座標線図Ｐｒや同じく特性図としての極座標線図Ｐｐを表示させる際の波形表示装置１の全体的な動作について説明する。
【００２０】
まず、操作部１６のスイッチを操作して入力信号Ｓｉ（例えば、電圧信号）の記録を開始させる。この際に、制御部１７が操作部１６から出力される操作信号Ｓｏに従って入力信号処理部１１を制御することにより、入力信号ＳｉについてのサンプリングデータＤｓを出力させる。また、制御部１７は、入力信号処理部１１から出力されたサンプリングデータＤｓをストレージメモリ１２に記憶（記録）させる。
【００２１】
次に、横軸（Ｘ軸）を周波数とし、縦軸（Ｙ軸）を振幅とする直交座標上に入力信号Ｓｉについてのパラメータの値（例えば、入力信号Ｓｉの各周波数における電圧値）をプロットした直交座標線図Ｐｒ（例えば、入力信号Ｓｉのスペクトラムを示すスペクトラム図）を１画面表示させるときには、操作部１６のスイッチを操作して、直交座標線図Ｐｒを１画面表示させるための表示条件を設定する。この際に、制御部１７は、操作信号Ｓｏに従って演算部１４を制御して、ストレージメモリ１２および記憶部１３からサンプリングデータＤｓおよび演算用データＤｏを読み出させると共に、両データＤｓ，Ｄｏに基づく演算処理を実行させる。この場合、演算部１４は、演算処理としてのＦＦＴ演算を実行して、処理データＤｐを出力する。続いて、制御部１７は、処理データＤｐに基づき、直交座標線図Ｐｒを表示させるための表示データＤｄを生成して表示部１５に出力する。これにより、図３に示すように、直交座標線図Ｐｒ（入力信号Ｓｉのスペクトラムを示すスペクトラム図）が表示部１５に１画面表示される。
【００２２】
次に、入力信号Ｓｉについてのパラメータの値（例えば、入力信号Ｓｉの各周波数における電圧値）を極座標上にプロットした極座標線図Ｐｐ（例えば、入力信号Ｓｉのナイキスト線図）を１画面表示させるときには、操作部１６のスイッチを操作して、極座標線図Ｐｐを１画面表示させるための表示条件を設定する。この際に、制御部１７は、操作信号Ｓｏに従い、上記の動作と同様にして、演算部１４に処理データＤｐを出力させる。続いて、制御部１７は、処理データＤｐに基づき、極座標線図Ｐｐを表示させるための表示データＤｄを生成して表示部１５に出力する。これにより、図４に示すように、極座標線図Ｐｐ（ナイキスト線図）が表示部１５に１画面表示される。
【００２３】
次に、１つの直交座標線図Ｐｒおよび１つの極座標線図Ｐｐの双方をマルチ画面表示させるときには、操作部１６におけるスイッチを操作して、マルチ画面表示させるための表示条件を設定する。この際に、制御部１７は、操作信号Ｓｏに従い、上記の動作と同様にして、直交座標線図Ｐｒおよび極座標線図Ｐｐを表示させるための表示データＤｄを処理データＤｐに基づいて生成して、表示部１５に出力する。これにより、図５に示すように、１つの直交座標線図Ｐｒ（入力信号Ｓｉのスペクトラムを示すスペクトラム図）と１つの極座標線図Ｐｐ（入力信号Ｓｉのナイキスト線図）が表示部１５にマルチ画面表示される。この場合、この波形表示装置１では、直交座標線図Ｐｒおよび極座標線図Ｐｐの双方が表示部１５に同時に表示される。このため、例えば、両線図Ｐｒ，Ｐｐを比較しつつ入力信号Ｓｉの特性を多面的に解析するような使用形態において、表示切替操作を行うことなく両線図Ｐｒ，Ｐｐを同時に視認させることが可能な結果、作業効率の向上が可能となる。
【００２４】
一方、この波形表示装置１では、マルチ画面表示における直交座標線図Ｐｒおよび極座標線図Ｐｐの各々の数を任意に設定することが可能となっている。具体的には、図６に示す２つ（２種類）の直交座標線図Ｐｒと１つの極座標線図Ｐｐとのマルチ画面表示、図７に示す１つの直交座標線図Ｐｒと２つ（２種類）の極座標線図Ｐｐとのマルチ画面表示、および図８に示す２つの直交座標線図Ｐｒと２つの極座標線図Ｐｐとのマルチ画面表示などの各種の表示形態での表示が可能となっている。このため、入力信号Ｓｉの種類等に応じて、マルチ画面表示させる両線図Ｐｒ，Ｐｐの数を任意に選択して表示形態を変更することで、入力信号Ｓｉについてのより一層多面的な解析を行うことが可能となっている。また、例えば、入力信号Ｓｉと比較するための基準信号についての両線図Ｐｒ，Ｐｐと、入力信号Ｓｉについての両線図Ｐｒ，Ｐｐとをマルチ画面表示させることで、入力信号Ｓｉについての詳細な解析を行うことが可能となっている。
【００２５】
このように、この波形表示装置１によれば、入力信号Ｓｉについてのパラメータの値を直交座標上にプロットした直交座標線図Ｐｒと、入力信号Ｓｉについてのパラメータの値を極座標上にプロットした極座標線図Ｐｐとを表示部１５に同時に表示可能に構成したことにより、両線図Ｐｒ，Ｐｐをユーザーに対して同時に視認させることができる。このため、ユーザーは、両線図Ｐｒ，Ｐｐを比較しつつ入力信号Ｓｉの特性を多面的に解析することができる。また、表示切替操作を行うことなく両線図Ｐｒ，Ｐｐを同時に視認させることができるため、解析作業の効率を十分に向上させることができる。
【００２６】
また、この波形表示装置１によれば、複数の直交座標線図Ｐｒを同時に表示可能に構成したことにより、例えば、種類の異なる複数の直交座標線図Ｐｒと極座標線図Ｐｐとをユーザーに対して同時に視認させることができる。このため、ユーザーは、各線図Ｐｒ，Ｐｐを比較しつつ入力信号Ｓｉの特性をより一層多面的に解析することができると共に、このような使用形態においても解析作業の効率を十分に向上させることができる。
【００２７】
また、この波形表示装置１によれば、複数の極座標線図Ｐｐを同時に表示可能に構成したことにより、例えば、入力信号Ｓｉと比較するための基準信号についての両線図Ｐｒ，Ｐｐと、入力信号Ｓｉについての両線図Ｐｒ，Ｐｐとをユーザーに対して同時に視認させることができる。このため、ユーザーは、各線図Ｐｒ，Ｐｐを比較しつつ入力信号Ｓｉの特性を詳細に解析することができると共に、このような使用形態においても、解析作業の効率を十分に向上させることができる。
【００２８】
なお、本発明は、上記の構成に限定されない。例えば、直交座標線図Ｐｒとしてのスペクトラム図と極座標線図Ｐｐとしてのナイキスト線図とを表示する例について上記したが、本発明における直交座標線図Ｐｒおよび極座標線図Ｐｐには、入力信号Ｓｉの信号波形を示す信号波形図、ニコルス線図、ボード線図およびコクアド線図等の各種の特性図が含まれる。また、１つまたは２つの直交座標線図Ｐｒと、１つまたは２つの極座標線図Ｐｐとを同時に表示する例について上記したが、同時に表示する両線図Ｐｒ，Ｐｐの数はこれに限定されず、３つ以上の任意の複数に規定することができる。
【００２９】
また、入力信号についてのパラメータの値として電圧値を例に挙げて説明したが、これに限らず、電流値、電力値など各種のパラメータの値を示す直交座標線図や極座標線図を表示させることができる。さらに、入力信号Ｓｉに対する所定の演算処理によって算出した、例えば、入力信号Ｓｉに含まれる各周波数成分の位相（本発明における入力信号についてのパラメータの値の他の一例）を直交座標上および極座標上にそれぞれプロットした直交座標線図や極座標線図を表示させることもできる。
【００３０】
加えて、本発明に係る表示制御装置と表示部とを一体的に構成した波形表示装置１について説明したが、外部装置としての表示装置（表示部）に上記の直交座標線図Ｐｒや極座標線図Ｐｐ等を表示可能に構成された各種の表示制御装置に本発明を適用することができる。
【図面の簡単な説明】
【００３１】
【図１】波形表示装置１の構成を示すブロック図である。
【図２】波形表示装置１の正面図である。
【図３】直交座標線図Ｐｒを１画面表示している状態の表示画面図である。
【図４】極座標線図Ｐｐを１画面表示している状態の表示画面図である。
【図５】直交座標線図Ｐｒと極座標線図Ｐｐとをマルチ画面表示している状態の表示画面図である。
【図６】２つの直交座標線図Ｐｒと１つの極座標線図Ｐｐとをマルチ画面表示している状態の表示画面図である。
【図７】１つの直交座標線図Ｐｒと２つの極座標線図Ｐｐとをマルチ画面表示している状態の表示画面図である。
【図８】２つの直交座標線図Ｐｒと２つの極座標線図Ｐｐとをマルチ画面表示している状態の表示画面図である。
【符号の説明】
【００３２】
１  波形表示装置
１５  表示部
１７  制御部
Ｐｐ  極座標線図
Ｐｒ  直交座標線図
Ｓｉ  入力信号
【図１】
2007199019.tif 000003
【図２】
2007199019.tif 000004
【図３】
2007199019.tif 000005
【図４】
2007199019.tif 000006
【図５】
2007199019.tif 000007
【図６】
2007199019.tif 000008
【図７】
2007199019.tif 000009
【図８】
2007199019.tif 000010